(57)【要約】【課題】送りバーと主幹バーとの接続高さ位置が変位せず、主幹バーとの接続作業に支障をきたさない分電盤を提供する。【解決手段】端子装置１４を有する主幹ブレーカ１と、端子装置１４に一方側を接続した送りバー２、３と、この送りバー２、３の他方側に接続される主幹バー４、５と、この主幹バー４、５に接続される複数の分岐ブレーカ６とを備えた分電盤であって、端子装置１４は、前面に螺子１５を有し、螺子１５に螺合された端子枠を背面側に有し、側面に接続口を有して、螺子１５を前面側から背面側に向って締付けると端子枠が前面側に移動するように構成され、接続口に挿入された導体を端子枠で締付け接続するものであり、送りバー２、３の一方側は、端子装置１４の接続口に挿入される接続部１８と、接続部１８から側面に沿って前面側に折曲した折曲部１９を有する。【選択図】        図１
2005051908.tif 000002
【特許請求の範囲】
【請求項１】
端子装置を有する主幹ブレーカと、前記端子装置に一方側を接続した送りバーと、この送りバーの他方側に接続される主幹バーと、この主幹バーに接続される複数の分岐ブレーカとを備えた分電盤であって、
前記端子装置は、前面に螺子を有し前記螺子に螺合された端子枠を背面側に有し側面に接続口を有して前記螺子を前記前面側から前記背面側に向って締付けると前記端子枠が前面側に移動するように構成され、前記接続口に挿入された導体を前記端子枠で締付け接続するものであり、
前記送りバーの前記一方側は、前記端子装置の前記接続口に挿入される接続部と、前記接続部から前記側面に沿って前記前面側に折曲した折曲部を有することを特徴とする分電盤。
【請求項２】
前記主幹ブレーカは長手方向の両端に端子装置を有し、前記送りバーは、中間部が主幹ブレーカの幅方向一方側で主幹ブレーカの長手方向に沿って延出し、一方側を主幹ブレーカ側に折曲するとともに、他方側を前記主幹ブレーカの長手方向他方側よりも外側に突設した請求項１記載の分電盤。
【発明の詳細な説明】
【技術分野】
【０００１】
本発明は、例えば主に、単相２線式配線路に使用される分電盤に関するものである。
【背景技術】
【０００２】
単相２線式配線路に使用される分電盤として、特許文献１に示すものが存在する。このものは、例えば図４および図５に示すように、DIN規格で規格化されたDINレールに取着される主幹ブレーカ60'および分岐ブレーカ60，60、・・を横並びに並設したものであり、主幹ブレーカ60'は単相２線式配線路の電源側線とニュートラル側線とを共に開閉する２極型プレーカ、分岐ブレーカ60は単相２線式配線路の電源側線のみを開閉する１極型ブレーカである。
【０００３】
主幹ブレーカ60'および分岐ブレーカ60，60、‥は、前面側から背面側に向って螺子を締付けると端子枠が前面側に移動して導体を接続する端子装置を備えている。
【０００４】
この分電盤では、主幹ブレーカ60'からの例えば電源側線97を主幹バー98に接続して主幹バー98を各分岐ブレーカ60の電源側端子67aに接続するとともに、主幹ブレーカ60'からの例えばニュートラル側線96を端子台70の電線接続部71bに接続しており、分岐ブレーカ60の負荷側端子67bと電線接続部71bとを負荷に接続する。
【０００５】
ここで、分岐ブレーカ60のうちの幾つかに、主幹ブレーカ60と同様に２極型を用いる場合、主幹ブレーカ60'のニュートラル側端子66aにニュートラル側線96以外の送り用としてもう1本導体を接続する必要がある。この導体が電線の場合、ニュートラル側線96も電線であり、これらの電線は電流容量を十分とするため、径が大きくなっており、2つの電線を接続するのは困難である。そこで、２極型分岐ブレーカのための送り用導体として、帯板状の送りバーと主幹バーを接続してなる導電バーを用いることが考えられる。
【０００６】
電線の場合、電流容量を大きくするためには電線自体を太くしなければならないが、導電バーの場合、電流容量を大きくするためには導電バーの幅方向の長さが電線よりも大きくとれるため電線と同じ電流容量とするための導電バー自体の厚みは電線ほど大きくする必要がない。
【０００７】
しかしながら、この場合、端子装置に送り用導電バーを接続する際に、端子枠が移動するのにともなって、送り用の導電バーと２極型の分岐ブレーカに接続する主幹バーとの接続高さ位置が変位し、このため主幹バーに分岐ブレーカが接続できなくなる恐れがある。
【特許文献１】特開2001−28810号公報
【発明の開示】
【発明が解決しようとする課題】
【０００８】
本願発明は、上記背景技術に鑑みて発明されたものであり、その課題は、送りバーと主幹バーとの接続高さ位置が変位せず、主幹バーとの接続作業に支障をきたさない分電盤を提供することにある。
【課題を解決するための手段】
【０００９】
この発明の分電盤は、端子装置を有する主幹ブレーカと、前記端子装置に一方側を接続した送りバーと、この送りバーの他方側に接続される主幹バーと、この主幹バーに接続される複数の分岐ブレーカとを備えた分電盤であって、
前記端子装置は、前面に螺子を有し前記螺子に螺合された端子枠を背面側に有し側面に接続口を有して前記螺子を前記前面側から前記背面側に向って締付けると前記端子枠が前面側に移動するように構成され、前記接続口に挿入された導体を前記端子枠で締付け接続するものであり、
前記送りバーの前記一方側は、前記端子装置の前記接続口に挿入される接続部と、前記接続部から前記側面に沿って前記前面側に折曲した折曲部を有することを特徴とするものである。
【００１０】
また、上記構成において、前記主幹ブレーカは長手方向の両端に端子装置を有し、前記送りバーは、中間部が主幹ブレーカの幅方向一方側で主幹ブレーカの長手方向に沿って延出し、一方側を主幹ブレーカ側に折曲するとともに、他方側を前記主幹ブレーカの長手方向他方側よりも外側に突設している。
【発明の効果】
【００１１】
この発明の構成によれば、送りバーの一方側には接続部から前面側に折曲された折曲部を有するため、端子装置の接続口において接続部の背面側に他の導体を接続することができるが、接続部の前面側は折曲部のため接続が困難になる。そのため、送りバーの接続部の背面側に他の導体を接続するので、端子枠の移動によって接続部は移動せず、したがって送りバーの他方側に接続される主幹バーとの高さ位置が変位せず、主幹バーとの接続作業に支障をきたさない。
【００１２】
また、送りバーは、中間部が主幹ブレーカの幅方向一方側で主幹ブレーカの長手方向に沿って延出するため、主幹ブレーカの幅方向他方側に分岐ブレーカを横並びに隣設し、送りバーの他方側に接続される主幹バーを分岐ブレーカの横並び方向に延出させることで主幹ブレーカと分岐ブレーカとを接続することができる。従って、主幹ブレーカおよび各分岐ブレーカを隙間なく隣接して配設することができ、スッキリ配設することができる。
【発明を実施するための最良の形態】
【００１３】
この発明の一実施の形態を図１から図３により説明する。すなわち、この分電盤は、主幹ブレーカ１と、送りバー２、３と、主幹バー４、５と、複数の分岐ブレーカ６を有し、これらはケース７に収納されている。
【００１４】
図１は、ケース７のカバー（図示せず）を外した状態の平面図であり、中央部に保持部材１１がねじ１２によりケース７の開口縁に取付けられている。保持部材１１は中央部がケース７の内底面にスペースをおいて沿い、両端部がケース７の内壁に沿って開口縁に延びさらに固定片２５が開口縁上に折曲され、固定片２５をねじ１２でケース７に止めている。保持部材１１の中央部にはレール１３例えばＤＩＮ規格で規格化されたＤＩＮレールが設けられている。保持部材１１のレール１３上に主幹ブレーカ１および複数の分岐ブレーカ６が並べて取付けられ、主幹ブレーカ１は並び方向の一端に配置され、複数の分岐ブレーカ６は主幹ブレーカ１に隣接して並んでいる。複数の分岐ブレーカ６の半分の主幹ブレーカ１側のものは２極型ブレーカであり、残り半分は単相２線式配線路の電源側線のみを開閉する１極型ブレーカである。ケース７内の図１における上側の壁側には負荷のニュートラル側端子を有する端子台２６が設置されている。
【００１５】
主幹ブレーカ１は端子装置１４を有する。この端子装置１４は、主幹ブレーカ１の器体の長手方向両端に２個づつ配設している。図１で上側の端子装置が電源接続側であり、下側が負荷接続側である。各端子装置１４は、前面に螺子１５を有し、螺子１５に螺合された端子枠（図示せず）を背面側に有し、側面に接続口１７を有して、螺子１５を前面側から背面側に向って締付けると、端子枠（図示せず）が前面側に移動するように構成され、接続口１７に挿入された導体を端子枠（図示せず）で締付け接続する。実施の形態の主幹ブレーカ１は単相２線式配線路用であり例えば電源側線とニュートラル側線を共に開閉する２極型ブレーカである。
【００１６】
送りバー２、３は端子装置１４に一方側を接続するものであり、実施の形態では例えば帯板状の主幹ブレーカ１の長手方向の一方側すなわち負荷接続側の２個の端子装置１４に２本の送りバー２、３の一方側を各々接続している。これらの送りバー２、３は中間部が主幹ブレーカ１の幅方向一方側で主幹ブレーカ１の長手方向に沿って延出し、一方側を主幹ブレーカ１側に折曲して折曲片２１とするとともに、他方側を主幹ブレーカ１の長手方向他方側よりも外側に突設させている。実施の形態の送りバー２、３は、主幹ブレーカ１の分岐ブレーカ６と反対側で保持部材１１の固定片２５との隙間に配置されている。また送りバー２、３の一方側は、端子装置１４の接続口１７に挿入される導体となる接続部１８と、接続部１８から端子装置１４の側面、すなわち主幹ブレーカ１の長手方向一方側端面に沿って前面側に折曲した折曲部１９を有する。例えば電源側の送りバー２は、厚さ方向が主幹ブレーカ１の側面に向き、一方側の折曲片２１を主幹ブレーカ１の端面に平行に配置し、その先端と折曲部１９との間を逆Ｕ字形の連接片２０により連接している。送りバー２の他方には厚さ方向がケース７の底面に向く連結片２２を延出し、連結片２２に連結具例えばねじ２３を挿通している。ニュートラル側の送りバー３は電源側の送りバー２と主幹ブレーカ１の側面との間の位置で厚さ方向がケース７の底面に向くように配置され、一方側は折曲片２１と折曲部１９が一体に連接されている。他方側には連結片２２よりもケース底面側となる位置に連結片２４を延出し、ねじ２７を挿通している。
【００１７】
２本の主幹バー４、５は、送りバー２、３の他方側に各々接続される。実施の形態では、例えば帯板状の２本の主幹バー４、５が複数並んだ分岐ブレーカ６の各電源側端部に沿って配置される。電源側の主幹バー４の一端が送りバー２にねじ２３により接続され、主幹バー４の接続片２８が各分岐ブレーカ６の電源側端子の端子装置１４に接続される。この場合、主幹バー４の一端にねじ孔が形成され、送りバー２の連結片２２の挿通孔を通してねじ２３がねじ締めされ、主幹バー４の一端と連結片２２が連結されている。これによって、主幹ブレーカ１の負荷側端子（の電源側）が各分岐ブレーカ６の電源側端子に接続されたこととなる。ニュートラル側の主幹バー５の一端が主幹バー４と同様な接続構造により、送りバー３のねじ２４に接続され、その接続片２９が２極型の分岐ブレーカ６の電源側端子に接続されている。これによって主幹ブレーカの負荷側端子のニュートラル側が２極型分岐ブレーカ６の電源側端子のニュートラル側に接続される。
【００１８】
複数の分岐ブレーカ６の全てはこのようにして主幹バー４に接続され、主幹バー５は２極型分岐ブレーカ６に接続される。これにより、２極型分岐ブレーカ６の負荷側端子は負荷に接続されることができる。なお、分岐ブレーカ６の各端子は主幹ブレーカ１と同構造の端子装置１４を用いている。
【００１９】
また、主幹ブレーカ１の電源側端子のニュートラル側と端子台２６とを電線３０により接続している。この電線３０は保持部材１１の下側を這わせて、一端を電源側端子の端子装置１４の接続口１７に送りバー３の接続部１８の背面側すなわち下側（ケース底面側）に接続部１８と並べて挿入し接続している。端子ねじ１５の締付けにより、接続部１８および電線３０が端子枠によりねじ頭側に締付けられ接続口１７内で接続される。この場合、接続部１８には折曲部１９が上向きに延出しているので電線３０を接続部１８の上側に接続されることはなく、必ず接続部１８の背面側に接続される。このため接続部１８は電線３０を接続しない場合と同じ高さで端子装置１４に接続される。したがって、電線３０が主幹ブレーカ１に送りバー２とともに接続されることによって主幹バー４の高さが変わることがない。これにより、１極型の分岐ブレーカ６の負荷側端子と端子台２６の端子とが負荷に接続されることができる。
【図面の簡単な説明】
【００２０】
【図１】この発明の一実施の形態のカバーを外した状態の平面図である。
【図２】ケース内の主幹ブレーカ側からみた側面図である。
【図３】ケース内の主幹ブレーカの負荷側端子側からみた側面図である。
【図４】従来例の平面図である。
【図５】ケース内の分岐ブレーカの側面図である。
【符号の説明】
【００２１】
１  主幹ブレーカ
２  送りバー
３  送りバー
４  送りバー
５  送りバー
６  分岐ブレーカ
７  ケース
１１  保持部材
１４  端子装置
１５  螺子
１７  接続口
１８  接続部
１９  折曲部
【図１】
2005051908.tif 000003
【図２】
2005051908.tif 000004
【図３】
2005051908.tif 000005
【図４】
2005051908.tif 000006
【図５】
2005051908.tif 000007
【手続補正書】
【提出日】平成16年9月8日(2004.9.8)
【手続補正１】
【補正対象書類名】明細書
【補正対象項目名】０００２
【補正方法】変更
【補正の内容】
【０００２】
単相２線式配線路に使用される分電盤として、特許文献１に示すものが存在する。このものは、例えば図４および図５に示すように、DIN規格で規格化されたDINレールに取着される主幹ブレーカ60'および分岐ブレーカ60，60、・・を横並びに並設したものであり、主幹ブレーカ60'は単相２線式配線路の電源側線とニュートラル側線とを共に開閉する２極型ブレーカ、分岐ブレーカ60は単相２線式配線路の電源側線のみを開閉する１極型ブレーカである。
【手続補正２】
【補正対象書類名】明細書
【補正対象項目名】０００５
【補正方法】変更
【補正の内容】
【０００５】
ここで、分岐ブレーカ60のうちの幾つかに、主幹ブレーカ60'と同様に２極型を用いる場合、主幹ブレーカ60'のニュートラル側端子66aにニュートラル側線96以外の送り用としてもう1本導体を接続する必要がある。この導体が電線の場合、ニュートラル側線96も電線であり、これらの電線は電流容量を十分とするため、径が大きくなっており、2つの電線を接続するのは困難である。そこで、２極型分岐ブレーカのための送り用導体として、帯板状の送りバーと主幹バーを接続してなる導電バーを用いることが考えられる。
【手続補正３】
【補正対象書類名】明細書
【補正対象項目名】００１７
【補正方法】変更
【補正の内容】
【００１７】
２本の主幹バー４、５は、送りバー２、３の他方側に各々接続される。実施の形態では、例えば帯板状の２本の主幹バー４、５が複数並んだ分岐ブレーカ６の各電源側端部に沿って配置される。電源側の主幹バー４の一端が送りバー２にねじ２３により接続され、主幹バー４の接続片２８が各分岐ブレーカ６の電源側端子の端子装置１４に接続される。この場合、主幹バー４の一端にねじ孔が形成され、送りバー２の連結片２２の挿通孔を通してねじ２３がねじ締めされ、主幹バー４の一端と連結片２２が連結されている。これによって、主幹ブレーカ１の負荷側端子（の電源側）が各分岐ブレーカ６の電源側端子に接続されたこととなる。ニュートラル側の主幹バー５の一端が主幹バー４と同様な接続構造により、送りバー３のねじ２７に接続され、その接続片２９が２極型の分岐ブレーカ６の電源側端子に接続されている。これによって主幹ブレーカの負荷側端子のニュートラル側が２極型分岐ブレーカ６の電源側端子のニュートラル側に接続される。
【手続補正４】
【補正対象書類名】明細書
【補正対象項目名】００２１
【補正方法】変更
【補正の内容】
【００２１】
１  主幹ブレーカ
２  送りバー
３  送りバー
４  主幹バー
５  主幹バー
６  分岐ブレーカ
７  ケース
１１  保持部材
１４  端子装置
１５  螺子
１７  接続口
１８  接続部
１９  折曲部
【手続補正５】
【補正対象書類名】図面
【補正対象項目名】図１
【補正方法】変更
【補正の内容】
【図１】
2005051908.tif 000008
【手続補正６】
【補正対象書類名】図面
【補正対象項目名】図４
【補正方法】変更
【補正の内容】
【図４】
2005051908.tif 000009